(57)【要約】【課題】  他装置との隣接関係を容易に認識することができる通信装置及び通信方法を提供する。【解決手段】  通信装置は、第１ネットワークとの間でデータ信号を送受信する第１送受信部と、前記データ信号と形態が異なる伝送信号を、第２ネットワークを介して対向装置との間で送受信する第２送受信部と、前記データ信号と前記伝送信号を相互に変換する変換部と、前記対向装置との通信の不能状態を検出する検出部と、前記検出部により前記対向装置との通信の不能状態が検出された場合、前記第１ネットワーク内の装置との隣接関係を検出するための検出信号を前記第１ネットワークに送信する送信部とを有する。【選択図】図５
2018191153.tif 000002
【特許請求の範囲】
【請求項１】
第１ネットワークとの間でデータ信号を送受信する第１送受信部と、
前記データ信号と形態が異なる伝送信号を、第２ネットワークを介して対向装置との間で送受信する第２送受信部と、
前記データ信号と前記伝送信号を相互に変換する変換部と、
前記対向装置との通信の不能状態を検出する検出部と、
前記検出部により前記対向装置との通信の不能状態が検出された場合、前記第１ネットワーク内の装置との隣接関係を検出するための検出信号を前記第１ネットワークに送信する送信部とを有することを特徴とする通信装置。
【請求項２】
前記送信部は、前記対向装置との通信の不能状態が検出されてから所定時間が経過した後、前記検出信号を送信することを特徴とする請求項１に記載の通信装置。
【請求項３】
前記送信部は、前記第１送受信部を介して前記検出信号を送信し、
前記検出部により前記対向装置との通信の不能状態が検出された場合、前記第１送受信部に前記データ信号の送信を停止させ、前記所定時間が経過した後、前記第１送受信部に前記データ信号の送信を再開させる停止制御部を有することを特徴とする請求項２に記載の通信装置。
【請求項４】
前記検出部により前記対向装置との通信の不能状態が検出された場合、前記第１ネットワークに前記対向装置との通信の不能状態を通知する通知部を有することを特徴とする請求項１乃至３の何れかに記載の通信装置。
【請求項５】
前記送信部は、前記第１送受信部を介して前記検出信号を送信し、
前記検出部により前記対向装置との通信の不能状態が検出された場合、前記第１送受信部に前記データ信号の送信を停止させ、前記停止に応じ前記第１ネットワークから通信不能状態が通知されてから所定時間が経過した後、前記第１送受信部に前記データ信号の送信を再開させる停止制御部を有することを特徴とする請求項１に記載の通信装置。
【請求項６】
前記第２ネットワークを監視制御する監視制御装置に、前記隣接関係に関する情報を送信する通信処理部を有することを特徴とする請求項１乃至５の何れかに記載の通信装置。
【請求項７】
前記隣接関係に関する情報に基づき、前記第２ネットワーク内の複数の装置から前記対向装置を特定する装置特定部と、
前記装置特定部が特定した前記対向装置との間で通信条件に関するネゴシエーションを実行するネゴシエーション処理部とを有することを特徴とする請求項１乃至５の何れかに記載の通信装置。
【請求項８】
第１ネットワークとの間でデータ信号を送受信し、
前記データ信号と形態が異なる伝送信号を、第２ネットワークを介して対向装置との間で送受信し、
前記データ信号と前記伝送信号を相互に変換し、
前記対向装置との通信の不能状態が検出された場合、前記第１ネットワーク内の装置との隣接関係を検出するための検出信号を前記第１ネットワークに送信することを特徴とする通信方法。
【発明の詳細な説明】
【技術分野】
【０００１】
本件は、通信装置及び通信方法に関する。
【背景技術】
【０００２】
通信需要の増加に伴い、例えば、ルータ同士をＷＤＭ（Wavelength Division Multiplexing）ネットワークを介して接続することによりルータ間で大容量のデータ伝送を可能とする通信サービスが普及している。ＷＤＭネットワークには、波長の相違する複数の光信号を波長多重して伝送するＲＯＡＤＭ(Reconfigurable Optical Add and Drop Multiplexer)と、波長ごとの光信号をＲＯＡＤＭに対し送受信するトランスポンダとが含まれる。
【０００３】
トランスポンダは、例えばクライアントネットワーク内のルータに接続されている。トランスポンダは、ＲＯＡＤＭ間の光回線（光パス）の未設定または障害を検出すると、リンクパススルーの機能（例えば特許文献１参照）によりルータとの間のリンクを切断する。これにより、ルータは、光回線の未設定または障害を検出できるため、例えばＯＳＰＦ（Open Shortest Path First）などの動的なルーティングプロトコルに従いパケットの経路を迅速に変更することができる。
【０００４】
ルータ間にイーサネット（登録商標、以下同様）の通信サービス（広域イーサネットサービスなど）を提供する場合、光回線による接続対象を特定するため、光回線の設定より先にトランスポンダとルータ間の隣接関係が正しく認識されていることが必要である。
【先行技術文献】
【特許文献】
【０００５】
【特許文献１】特開２０１４−２７４７１号公報
【発明の概要】
【発明が解決しようとする課題】
【０００６】
しかし、トランスポンダとルータの間のリンクは、光回線が未設定であるとき、リンクパススルーの機能により切断されるため、例えばハローパケットなどによりＬＳＡ（Link State Advertisement）などの装置間の隣接関係に関する情報を交換することができない。このため、通信サービスを開通する場合、例えば、トランスポンダとルータの間を接続する光ファイバまたは金属ケーブルを専用の試験装置に接続することにより、トランスポンダとルータの間の隣接関係の確認が行われる。
【０００７】
このような人手による確認作業は、隣接関係の認識ミスを生ずるおそれがあるだけでなく、手間がかかるため、通信サービスの開通時期を遅延させるおそれがある。例えば、ＷＤＭネットワークの制御にＳＤＮ（Software Defined Network）の技術を用いる場合、ＡＰＩ（Application Programmable Interface）が、通信サービスの要求に従い迅速に光回線を設定し、また、動的に光回線の追加及び削除の設定を行うため、確認作業を光回線の設定または設定変更のたびに行うことは困難である。
【０００８】
また、通信サービスの提供中、トランスポンダとルータの間の隣接関係（接続の正常性）の確認は、光回線を介してルータ同士の間でＢＦＤ（Bidirectional Forwarding Detection）などの接続性の確認用プロトコルに従う通信により行われる。しかし、光回線が未設定または障害発生中である場合、ルータ同士の通信が不可能であるため、トランスポンダとルータの間の隣接関係の確認は不可能である。
【０００９】
そこで本件は、他装置との隣接関係を容易に認識することができる通信装置及び通信方法を提供することを目的とする。
【課題を解決するための手段】
【００１０】
１つの態様では、通信装置は、第１ネットワークとの間でデータ信号を送受信する第１送受信部と、前記データ信号と形態が異なる伝送信号を、第２ネットワークを介して対向装置との間で送受信する第２送受信部と、前記データ信号と前記伝送信号を相互に変換する変換部と、前記対向装置との通信の不能状態を検出する検出部と、前記検出部により前記対向装置との通信の不能状態が検出された場合、前記第１ネットワーク内の装置との隣接関係を検出するための検出信号を前記第１ネットワークに送信する送信部とを有する。
【００１１】
１つの態様では、通信方法は、第１ネットワークとの間でデータ信号を送受信し、前記データ信号と形態が異なる伝送信号を、第２ネットワークを介して対向装置との間で送受信し、前記データ信号と前記伝送信号を相互に変換し、前記対向装置との通信の不能状態が検出された場合、前記第１ネットワーク内の装置との隣接関係を検出するための検出信号を前記第１ネットワークに送信する方法である。
【発明の効果】
【００１２】
１つの側面として、他装置との隣接関係を容易に認識することができる。
【図面の簡単な説明】
【００１３】
【図１】通信システムの一例を示す構成図である。
【図２】比較例のトランスポンダを示す構成図である。
【図３】比較例の通信システムの動作を示すシーケンス図である。
【図４】第１実施例のトランスポンダを示す構成図である。
【図５】第１実施例のトランスポンダの機能構成を示す図である。
【図６】第１実施例の通信システムの動作（その１）を示すシーケンス図である。
【図７】第１実施例の通信システムの動作（その２）を示すシーケンス図である。
【図８】第２実施例のトランスポンダを示す構成図である。
【図９】第２実施例のトランスポンダの機能構成を示す図である。
【図１０】第２実施例の通信システムの動作（その１）を示すシーケンス図である。
【図１１】第２実施例の通信システムの動作（その２）を示すシーケンス図である。
【図１２】第３実施例のトランスポンダを示す構成図である。
【図１３】第３実施例のトランスポンダの機能構成を示す図である。
【図１４】第３実施例の通信システムの動作（その１）を示すシーケンス図である。
【図１５】第３実施例の通信システムの動作（その２）を示すシーケンス図である。
【図１６】第４実施例のトランスポンダを示す構成図である。
【図１７】第４実施例のトランスポンダの機能構成を示す図である。
【図１８】第４実施例の通信システムの動作（その１）を示すシーケンス図である。
【図１９】第４実施例の通信システムの動作（その２）を示すシーケンス図である。
【図２０】ＷＤＭネットワーク制御装置の一例を示す構成図である。
【図２１】ＷＤＭネットワーク制御装置の他の例を示す構成図である。
【図２２】通信システムの他の例を示す構成図である。
【図２３】第５実施例のトランスポンダを示す構成図である。
【図２４】第５実施例のトランスポンダの機能構成を示す図である。
【発明を実施するための形態】
【００１４】
図１は、通信システムの一例を示す構成図である。通信システムは、通信装置の一例であるトランスポンダ（ＴＰ）１ａ，１ｂと、クライアントネットワークＮＷａ，ＮＷｂ内のルータ（ＲＴ）２ａ，２ｂと、波長多重伝送装置であるＲＯＡＤＭ３ａ，３ｂと、ＷＤＭネットワーク（ＷＤＭ−ＮＷ）制御装置４と、クライアントネットワーク（ＮＷ）制御装置５とを含む。トランスポンダ１ａ，１ｂ及びＲＯＡＤＭ３ａ，３ｂは、ＷＤＭネットワークＮＷｃ内に設けられている。
【００１５】
クライアントネットワークＮＷａ，ＮＷｂは、第１ネットワークの一例であり、例えばＬＡＮ（Local Area Network）である。ＷＤＭネットワークＮＷｃは、第２ネットワークの一例であり、各ＲＯＡＤＭ３ａ，３ｂの間に設定された波長ごとの光回線（つまり光パス）により各トランスポンダ１ａ，１ｂの間の通信を可能とする。
【００１６】
ルータ２ａは、光ファイバを介してトランスポンダ１ａに接続され、ルータ２ｂは、光ファイバを介してトランスポンダ１ｂに接続されている。なお、ルータ２ａとトランスポンダ１ａの間、及びルータ２ｂとトランスポンダ１ｂの間は、金属ケーブルにより接続されてもよい。
【００１７】
ルータ２ａ，２ｂは、一方のクライアントネットワークＮＷａ，ＮＷｂのＩＰ（Internet Protocol）パケットを、ＷＤＭネットワークＮＷｃ内の光回線を介して他方のクライアントネットワークＮＷａ，ＮＷｂに転送する。つまり、ＷＤＭネットワークＮＷｃとはレイヤの異なるクライアントネットワークＮＷａ，ＮＷｂのＩＰパケットが、ＷＤＭネットワークＮＷｃを介し伝送される。これにより、クライアントネットワークＮＷａ，ＮＷｂの間において大容量のデータ伝送が可能となる。
【００１８】
トランスポンダ１ａとＲＯＡＤＭ３ａの間、及びトランスポンダ１ｂとＲＯＡＤＭ３ｂの間は、一対の光ファイバによりそれぞれ接続されている。また、各ＲＯＡＤＭ３ａ，３ｂの間は、一対の光ファイバによりそれぞれ接続されている。
【００１９】
トランスポンダ１ａ，１ｂは、ＲＯＡＤＭ３ａ，３ｂに対し所定波長の光信号を送受信する。より具体的には、トランスポンダ１ａ，１ｂは、ＲＯＡＤＭ３ａ，３ｂによりドロップされた光信号を受信し、光信号にマッピングされたイーサネット信号をルータ２ａ，２ｂに送信する。
【００２０】
また、トランスポンダ１ａ，１ｂは、ルータ２ａ，２ｂからイーサネット信号を受信し、光信号にマッピングしてＲＯＡＤＭ３ａ，３ｂに送信する。つまり、トランスポンダ１ａ，１ｂは、ＲＯＡＤＭ３ａ，３ｂに光信号をアドする。なお、本実施例において、ルータ２ａ，２ｂとトランスポンダ１ａ，１ｂは、光のイーサネット信号を互いに送受信するが、これに限定されることなく、電気のイーサネット信号を互いに送受信してもよい。
【００２１】
ＲＯＡＤＭ３ａ，３ｂは、伝送路である光ファイバを介して互いに接続されている。ＲＯＡＤＭ３ａ，３ｂは、波長の異なる複数の光信号を例えば波長選択スイッチなどによって波長多重することにより波長多重光信号を生成し、光ファイバを介してそれぞれ伝送する。ＲＯＡＤＭ３ａ，３ｂは、ＷＤＭネットワーク制御装置４から設定された光回線により、トランスポンダ１ａ，１ｂの光信号を含む波長多重光信号を互いに送受信する。
【００２２】
これにより、各トランスポンダ１ａ，１ｂは、ＷＤＭネットワークＮＷｃを介して、対向装置となる他方のトランスポンダ１ｂ，１ａとの間で光信号を送受信する。
【００２３】
ＷＤＭネットワーク制御装置４は、ＷＤＭネットワークＮＷｃ内のトランスポンダ１ａ，１ｂ及びＲＯＡＤＭ３ａ，３ｂに接続されている。ＷＤＭネットワーク制御装置４は、監視制御装置の一例であり、ＷＤＭネットワークＮＷｃを監視制御する。
【００２４】
ＷＤＭネットワーク制御装置４は、ＲＯＡＤＭ３ａ，３ｂに光回線を設定する。光回線の設定は、光回線の経路及び波長を指定することにより行われる。このため、ＷＤＭネットワーク制御装置４は、光回線の設定時及び運用時、各ルータ２ａ，２ｂに隣接するトランスポンダ１ａ，１ｂを始点ノード及び終点ノードとして認識する。
【００２５】
クライアントネットワーク制御装置５は、クライアントネットワークＮＷａ，ＮＷｂを監視制御する。クライアントネットワーク制御装置５は、例えば各ルータ２ａ，２ｂの構成を管理し、ＷＤＭネットワーク制御装置４と連携してクライアントネットワークＮＷａ，ＮＷｂの監視制御を行う。
【００２６】
図２は、比較例のトランスポンダ１ａ，１ｂを示す構成図である。トランスポンダ１ａ，１ｂは、受信器１０，１３と、送信器１２，１５と、マッピング部１１と、デマッピング部１４と、光回線監視部１６と、リンク制御部１７とを有する。
【００２７】
送信器１５及び受信器１０は、第１送受信部及び第１送受信回路の一例であり、クライアントネットワークＮＷａ，ＮＷｂとの間でイーサネット信号を送受信する。送信器１２及び受信器１３は、第２送受信部及び第２送受信回路の一例であり、イーサネット信号とは異なる形態の光信号を、ＷＤＭネットワークＮＷｃを介して対向装置のトランスポンダ１ａ，１ｂとの間で送受信する。送信器１２，１５は、レーザダイオードなどから構成され、受信器１０，１３は、フォトダイオードなどから構成されている。なお、イーサネット信号はデータ信号の一例である。
【００２８】
受信器１０は、ルータ２ａ，２ｂからイーサネット信号を受信し、マッピング部１１に出力する。マッピング部１１は、イーサネット信号を送信器１２の変調方式に応じたシンボルにマッピングして、そのシンボルデータを送信器１２に出力する。送信器１５は、シンボルデータを電気−光変換することにより光信号を生成してＲＯＡＤＭ３ａ，３ｂに送信する。これにより、トランスポンダ１ａ，１ｂは、対向装置のトランスポンダ１ｂ，１ａに光信号を送信する。
【００２９】
また、受信器１３は、ＲＯＡＤＭ３ａ，３ｂから光信号を受信して、光−電気変換することにより電気信号を生成する。受信器１３は、電気信号をデマッピング部１４に出力する。デマッピング部１４は、電気信号に含まれるシンボルデータをデマッピングすることによりイーサネット信号を生成し送信器１５に出力する。送信器１５は、イーサネット信号をルータ２ａ，２ｂに送信する。
【００３０】
このように、マッピング部１１とデマッピング部１４は、変換部及び変換回路の一例として、イーサネット信号と光信号を相互に変換する。つまり、マッピング部１１は、クライアントネットワークＮＷａ，ＮＷｂを流れるイーサネット信号が、ＷＤＭネットワークＮＷｃを流れるように、マッピング処理によってイーサネット信号を光信号の形態に変換する。
【００３１】
また、デマッピング部１４は、ＷＤＭネットワークＮＷｃを流れる光信号が、クライアントネットワークＮＷａ，ＮＷｂを流れるように、デマッピングによって光信号をイーサネット信号の形態に変換する。なお、マッピング部１１とデマッピング部１４は、例えばＦＰＧＡ（Field Programmable Gate Array）及びＡＳＩＣ（Application Specific Integrated Circuit）などの論理回路により構成される。
【００３２】
光回線監視部１６は、デマッピング部１４からの通知に基づき光回線の状態を監視する。光回線監視部１６は、検出部及び検出回路の一例として、対向装置のトランスポンダ１ａ，１ｂとの通信の不能状態を検出する。光回線監視部１６は、対向装置のトランスポンダ１ａ，１ｂから光信号を受信する方向の光回線に障害（例えば光ファイバの断）が発生した場合、マッピング部１１に障害通知の生成を指示する。マッピング部１１は、障害通知を光信号のオーバヘッド部分に挿入して送信器１２に出力する。
【００３３】
このため、デマッピング部１４は、対向装置のトランスポンダ１ａ，１ｂに光信号を送信する方向の光回線に障害が発生した場合、そのトランスポンダ１ａ，１ｂから受信した光信号のオーバヘッド部分から障害通知を検出することができる。デマッピング部１４は、障害通知を光回線監視部１６に出力する。
【００３４】
光回線監視部１６は、光回線に障害が発生した場合、リンクパススルーの機能に従いリンク制御部１７にルータ２ａ，２ｂとのリンクの切断を指示する。なお、光回線監視部１６は、光回線の未設定の状態も、障害の場合と同様に検出してリンク制御部１７にルータ２ａ，２ｂとのリンクの切断を指示する。
【００３５】
リンク制御部１７は、送信器１５の光出力を停止することによりルータ２ａ，２ｂとのリンクを切断する。リンク制御部１７は、例えばレーザダイオードの出力をオフ制御することにより送信器１５の光出力を停止する。これにより、トランスポンダ１ａ，１ｂは、光回線の障害をルータ２ａ，２ｂに通知する。なお、リンク制御部１７及び光回線監視部１６は、例えばソフトウェアの機能として形成される。
【００３６】
図３は、比較例の通信システムの動作を示すシーケンス図である。各ＲＯＡＤＭ３ａ，３ｂの間に光回線が設定されると、各ルータ２ａ，２ｂは、ユーザパケット（ユーザＰＫＴ）を互いに送受信する。
【００３７】
例えば、ＲＯＡＤＭ３ａからＲＯＡＤＭ３ｂに光信号を送信する方向の光回線において障害が発生した場合、トランスポンダ１ｂの光回線監視部１６は、光信号の未受信または光信号のエラーから障害を検出する（符号Ｓ１ｂ）。トランスポンダ１ｂの送信器１２は、マッピング部１１で生成された障害通知を含む光信号を対向装置のトランスポンダ１ａに送信する。これにより、トランスポンダ１ａの光回線監視部１６は光回線の障害を検出する（符号Ｓ１ａ）。
【００３８】
各トランスポンダ１ａ，１ｂの光回線監視部１６は、障害の検出に応じ、リンク制御部１７にルータ２ａ，２ｂとのリンクの切断を指示する。リンク制御部１７は、その指示に従いリンクを切断する（符号Ｓ２ａ，Ｓ２ｂ）。
【００３９】
各ルータ２ａ，２ｂは、リンクが切断されると、リンクダウンを検出する（符号Ｓ３ａ，Ｓ３ｂ）。次に、各ルータ２ａ，２ｂは、リンクダウンの検出に応じ「Remote Fault」通知をトランスポンダ１ａ，１ｂに出力する。なお、「Remote Fault」通知が、ＩＥＥＥ（the Institute of Electrical and Electronics Engineers, Inc.）８０２．３に規定されている。
【００４０】
次に、各ルータ２ａ，２ｂは、光回線の障害によりトランスポンダ１ａ，１ｂを通る転送経路が使用できないと判定し、ＯＳＰＦに従いユーザパケットの転送経路を変更する（符号Ｓ４ａ，Ｓ４ｂ）。なお、各ルータ２ａ，２ｂは、光回線が未設定である場合も、障害の場合と同様にリンクの切断に応じ転送経路を変更する。
【００４１】
このように、トランスポンダ１ａ，１ｂは、光回線が使用できない場合、リンクの切断によりルータ２ａ，２ｂにその旨を通知するため、ルータ２ａ，２ｂは、光回線が使用不能になると迅速に（例えば１秒以内）にユーザパケットの転送経路を変更することができる。
【００４２】
しかし、トランスポンダ１ａ，１ｂとルータ２ａ，２ｂは、リンクがダウンしている場合、例えばハローパケットなどによりＬＳＡなどの装置間の隣接関係に関する情報を交換することができない。
【００４３】
そこで、以下の実施例において、トランスポンダ１ａ，１ｂは、光回線の未設定時または障害発生時、ルータ２ａ，２ｂとの隣接関係を検出するための検出パケットを送信する。なお、検出パケットとしては、ＯＳＰＦのハローパケットやＩＥＥＥ８０２．１ＡＢに規定されているＬＬＤＰパケットが挙げられる。
【００４４】
（第１実施例）
図４は、第１実施例のトランスポンダ１ａ，１ｂを示す構成図である。トランスポンダ１ａ，１ｂは、ＣＰＵ（Central Processing Unit）９０、ＲＯＭ（Read Only Memory）９１、ＲＡＭ（Random Access Memory）９２、メモリ９３、通信ポート９４、及びハードウェアインターフェース部（ＨＷ−ＩＦ）９５を有する。ＣＰＵ９０は、互いに信号の入出力ができるように、ＲＯＭ９１、ＲＡＭ９２、メモリ９３、ＨＷ−ＩＦ９５、及び通信ポート９４と、バス９６を介して接続されている。なお、トランスポンダ１ａ，１ｂは、ＣＰＵ９０に代えて、マイクロプロセッサなどの他のプロセッサを有してもよい。
【００４５】
ＲＯＭ９１は、ＣＰＵ９０を駆動するプログラムが格納されている。ＲＡＭ９２は、ＣＰＵ９０のワーキングメモリとして機能する。通信ポート９４は、例えばＬＡＮの通信回路であり、ＷＤＭネットワーク制御装置４と通信する。
【００４６】
ＣＰＵ９０は、ＲＯＭ９１からプログラムを読み込むと、機能として、動作制御部９００、光回線監視部１６、スイッチ（ＳＷ）制御部１０１、情報パケット（ＰＫＴ）検出部１０３、通信処理部１０４、及び情報パケット（ＰＫＴ）生成部１０５が形成される。また、メモリ９３には隣接装置情報９３０が格納されている。なお、プログラムによりＣＰＵ９０に形成される機能は、ＦＰＧＡなどにより論理回路として構成されてもよい。これは、以降の実施例においても同様である。
【００４７】
光回線監視部１６、スイッチ制御部１０１、情報パケット検出部１０３、通信処理部１０４、及び情報パケット生成部１０５は、動作制御部９００の指示に従い動作する。なお、動作制御部９００、光回線監視部１６、スイッチ制御部１０１、情報パケット検出部１０３、通信処理部１０４、情報パケット生成部１０５、及び隣接装置情報９３０については後述する。
【００４８】
また、トランスポンダ１ａ，１ｂは、受信器１０，１３、送信器１２，１５、マッピング部１１、デマッピング部１４、スイッチ部（ＳＷ）１００、及びＰＨＹ（Physical layer）／ＭＡＣ（Media Access Control）部１０２を有する。受信器１０，１３、送信器１２，１５、マッピング部１１、デマッピング部１４、スイッチ部１００、及びＰＨＹ／ＭＡＣ部１０２は、バス９７を介しＨＷ−ＩＦ９５に接続されている。
【００４９】
ＨＷ−ＩＦ９５は、バス９７を制御することによりＣＰＵ９０から受信器１０，１３、送信器１２，１５、マッピング部１１、デマッピング部１４、スイッチ部１００、及びＰＨＹ／ＭＡＣ部１０２に対するアクセスを処理する。なお、受信器１０，１３、送信器１２，１５、マッピング部１１、デマッピング部１４、スイッチ部１００、及びＰＨＹ／ＭＡＣ部１０２については後述する。
【００５０】
動作制御部９００は、光回線監視部１６、スイッチ制御部１０１、情報パケット検出部１０３、通信処理部１０４、及び情報パケット生成部１０５を、ＨＷ−ＩＦ９５により受信器１０，１３、送信器１２，１５、マッピング部１１、デマッピング部１４、スイッチ部１００、及びＰＨＹ／ＭＡＣ部１０２と連携して動作させる。
【００５１】
図５は、第１実施例のトランスポンダ１ａ，１ｂの機能構成を示す図である。図５において、図２と共通する構成には同一の符号を付し、その説明は省略する。
【００５２】
送信器１５は、スイッチ部１００を介してデマッピング部１４及びＰＨＹ／ＭＡＣ部１０２に接続されている。スイッチ部１００は、ＰＨＹ／ＭＡＣ部１０２につながる端子Ｔａと、デマッピング部１４につながる端子Ｔｂと、送信器１５につながる端子Ｔｃとを有する。スイッチ部１００は、スイッチ制御部１０１の制御により端子Ｔｃの接続先が端子Ｔａまたは端子Ｔｂに切り替えられる。なお、スイッチ部１００は、例えば物理的なスイッチまたは論理回路により構成される。
【００５３】
スイッチ制御部１０１は、光回線監視部１６の指示信号に基づきスイッチ部１００を制御する。光回線監視部１６は、光回線の未設定または障害を検出した場合、端子Ｔｃの接続先が端子Ｔａとなるように指示信号を出力し、光回線の設定または障害の回復を検出した場合、端子Ｔｃの接続先が端子Ｔｂとなるように指示信号を出力する。
【００５４】
このため、送信器１５には、光回線の使用が可能である場合、デマッピング部１４からイーサネット信号が入力され、光回線の使用が不可能である場合、ＰＨＹ／ＭＡＣ部１０２から情報パケットが入力される。この場合、送信器１５は、情報パケットをルータ２ａ，２ｂに送信する。
【００５５】
ＰＨＹ／ＭＡＣ部１０２は、例えばＡＳＩＣのような論理回路により構成され、ルータ２ａ，２ｂとの間で情報パケットを送受信する。ＰＨＹ／ＭＡＣ部１０２は、受信器１０、スイッチ部１００、情報パケット検出部１０３、及び情報パケット生成部１０５に接続されている。
【００５６】
受信器１０から出力されたイーサネット信号は、マッピング部１１及びＰＨＹ／ＭＡＣ部１０２に入力される。ＰＨＹ／ＭＡＣ部１０２は、イーサネット信号のデコーディング処理などを行った後、イーサネット信号を情報パケット検出部１０３に出力する。情報パケット検出部１０３は、ルータ２ａ，２ｂから受信されたイーサネット信号から情報パケットを検出する。情報パケットの検出処理は、例えばイーサネット信号のデータから所定パタンに一致するデータを検出することにより行われる。
【００５７】
情報パケットは、クライアントネットワークＮＷａ，ＮＷｂ内のルータ２ａ，２ｂとの隣接関係を検出するための検出信号の一例である。情報パケットには、後述するように、トランスポンダ１ａ，１ｂの隣接装置（いわゆるネイバー）であるルータ２ａ，２ｂの情報が含まれている。情報パケット検出部１０３は、情報パケットからルータ２ａ，２ｂの情報を取得し、隣接装置情報９３０としてメモリ９３に格納する。
【００５８】
通信処理部１０４は、例えばＮＥＴＣＯＮＦ（Network Configuration protocol）のサーバ機能を有し、ＷＤＭネットワーク制御装置４との通信を処理する。通信処理部１０４は、例えばＷＤＭネットワーク制御装置４からの要求に応じて隣接装置情報９３０をＷＤＭネットワーク制御装置４に送信する。なお、通信処理部１０４は通信処理回路の一例である。
【００５９】
また、情報パケット生成部１０５は、情報パケットを生成してＰＨＹ／ＭＡＣ部１０２に出力する。情報パケット生成部１０５から出力された情報パケットは、スイッチ部１００の端子Ｔｃが端子Ｔａに接続されている場合、送信器１５からルータ２ａ，２ｂに送信される。このため、ルータ２ａ，２ｂは、送信器１５からの情報パケットを受信することによりトランスポンダ１ａ，１ｂとの隣接関係を認識することができる。
【００６０】
このように、情報パケット生成部１０５は、送信部及び送信回路の一例として、対向装置であるトランスポンダ１ａ，１ｂとの通信の不能状態が検出された場合、情報パケットをルータ２ａ，２ｂに送信する。このため、トランスポンダ１ａ，１ｂとルータ２ａ，２ｂは、光回線が未設定または障害発生状態である場合でも、互いの隣接関係を容易に認識することができる。
【００６１】
図６と図７は、第１実施例の通信システムの動作を示すシーケンス図である。図６には、光回線が未設定である場合（「光回線未設定時」参照）、光回線が設定された場合（「光回線設定時」参照）、及び光回線に障害が発生した場合（「光回線障害時」参照）の動作が示されている。
【００６２】
まず、光回線が未設定である場合の動作を述べる。この場合、スイッチ部１００の端子Ｔｃは、ＰＨＹ／ＭＡＣ部１０２側の端子Ｔａに接続されている。このため、ルータ２ａ，２ｂとトランスポンダ１ａ，１ｂは情報パケットを交換することができる。したがって、ルータ２ａ，２ｂとトランスポンダ１ａ，１ｂは、光回線が設定される前に互いの隣接関係を容易に認識することができる。
【００６３】
次に、光回線が設定された場合の動作を述べる。ＷＤＭネットワーク制御装置４により光回線が設定されると、スイッチ制御部１０１は、光回線監視部１６の指示信号に従い、スイッチ部１００の端子Ｔｃの接続先を、デマッピング部１４側の端子Ｔｂに切り替える（符号Ｓ１１ａ，Ｓ１１ｂ）。このため、各ルータ２ａ，２ｂの間において、光回線を介した通信が可能となる。各ルータ２ａ，２ｂは、情報パケットを交換することにより、ＯＳＰＦ上の隣接関係を確立することができる。
【００６４】
次に、各ルータ２ａ，２ｂは、ＯＳＰＦに従いユーザパケットの転送経路を光回線経由の経路に変更する（符号Ｓ１２ａ、Ｓ１２ｂ）。これにより、クライアントネットワークＮＷａ，ＮＷｂの間において、ＷＤＭネットワークＮＷｃを介したユーザパケットの転送が可能となる。
【００６５】
次に、光回線に障害が発生した場合の動作を述べる。例えば、ＲＯＡＤＭ３ａからＲＯＡＤＭ３ｂに光信号を送信する方向の光回線において障害が発生した場合、トランスポンダ１ｂの光回線監視部１６は、光信号の未受信または光信号のエラーから障害を検出する（符号Ｓ１３ｂ）。トランスポンダ１ｂの送信器１２は、マッピング部１１で生成された障害通知を含む光信号を対向装置のトランスポンダ１ａに送信する。これにより、トランスポンダ１ａの光回線監視部１６は光回線の障害を検出する（符号Ｓ１３ａ）。
【００６６】
各トランスポンダ１ａ，１ｂの光回線監視部１６は、障害の検出に応じ、スイッチ制御部１０１に対し指示信号を出力することにより、スイッチ部１００の端子Ｔｃの接続先を端子Ｔａに切り替えるように指示する。スイッチ制御部１０１は、指示信号に従い、スイッチ部１００の端子Ｔｃの接続先を端子Ｔａに切り替える（符号Ｓ１４ａ，Ｓ１４ｂ）。
【００６７】
これにより、送信器１５とＰＨＹ／ＭＡＣ部１０２が接続されるため、情報パケット生成部１０５により生成された情報パケットが送信器１５からルータ２ａ，２ｂに送信される。また、受信器１０がルータ２ａ，２ｂから受信した情報パケットは、ＰＨＹ／ＭＡＣ部１０２から情報パケット検出部１０３に入力される。
【００６８】
これにより、ルータ２ａ，２ｂとトランスポンダ１ａ，１ｂは情報パケットを交換することができる。このため、ルータ２ａ，２ｂとトランスポンダ１ａ，１ｂは、光回線に障害が発生した場合でも、互いの隣接関係を容易に認識することができる。したがって、トランスポンダ１ａ，１ｂは、障害発生中にルータ２ａ，２ｂとの接続性を監視することができる。
【００６９】
また、ルータ２ａ，２ｂは、障害の発生により光回線経由でパケットを互いに転送することが不可能となる。このため、ルータ２ａ，２ｂは、例えばＯＳＰＦのハローパケットによるタイムアウトに応じ、互いの隣接関係の解消を検出する。このため、ルータ２ａ，２ｂは、ＯＳＰＦに従い、ユーザパケットの転送経路を光回線経由の転送経路から他の転送経路に変更する（符号Ｓ１５ａ，Ｓ１５ｂ）。なお、障害の発生から転送経路の変更までの所要時間は、例えば数十秒となる。
【００７０】
図７には、光回線に障害が回復した場合（「光回線障害回復時」参照）の動作、及び光回線が削除された場合（「光回線削除時」参照）の動作が示されている。
【００７１】
まず、光回線に障害が回復した場合の動作を述べる。光回線の障害が回復すると、トランスポンダ１ｂの光回線監視部１６は、光信号の受信または光信号のエラーの回復から障害の回復を検出する（符号Ｓ１６ｂ）。トランスポンダ１ｂの送信器１２は、マッピング部１１で生成された障害回復通知を含む光信号を対向装置のトランスポンダ１ａに送信する。これにより、トランスポンダ１ａの光回線監視部１６は光回線の障害の回復を検出する（符号Ｓ１６ａ）。
【００７２】
各トランスポンダ１ａ，１ｂの光回線監視部１６は、障害の回復の検出に応じ、スイッチ制御部１０１に対し指示信号を出力することにより、スイッチ部１００の端子Ｔｃの接続先を端子Ｔｂに切り替えるように指示する。スイッチ制御部１０１は、指示信号に従い、スイッチ部１００の端子Ｔｃの接続先を端子Ｔｂに切り替える（符号Ｓ１７ａ，Ｓ１７ｂ）。
【００７３】
このため、各ルータ２ａ，２ｂの間において、光回線を介した通信が可能となる。各ルータ２ａ，２ｂは、情報パケットを交換することにより、ＯＳＰＦ上の隣接関係を確立することができる。
【００７４】
次に、各ルータ２ａ，２ｂは、ＯＳＰＦに従いユーザパケットの転送経路を光回線経由の経路に変更する（符号Ｓ１８ａ、Ｓ１８ｂ）。これにより、クライアントネットワークＮＷａ，ＮＷｂの間において、ＷＤＭネットワークＮＷｃを介したユーザパケットの転送が可能となる。
【００７５】
次に、光回線が削除された場合の動作を述べる。ＷＤＭネットワーク制御装置４により光回線が削除されると、各トランスポンダ１ａ，１ｂの光回線監視部１６は、光信号の未受信または光信号のエラーから光回線の削除を検出する（符号Ｓ１９ａ，Ｓ１９ｂ）。
【００７６】
光回線監視部１６は、光回線の削除に応じ、スイッチ制御部１０１に対し指示信号を出力することにより、スイッチ部１００の端子Ｔｃの接続先を端子Ｔａに切り替えるように指示する。スイッチ制御部１０１は、指示信号に従い、スイッチ部１００の端子Ｔｃの接続先を端子Ｔａに切り替える（符号Ｓ２０ａ，Ｓ２０ｂ）。
【００７７】
これにより、送信器１５とＰＨＹ／ＭＡＣ部１０２が接続されるため、情報パケット生成部１０５により生成された情報パケットが送信器１５からルータ２ａ，２ｂに送信される。また、受信器１０がルータ２ａ，２ｂから受信した情報パケットは、ＰＨＹ／ＭＡＣ部１０２から情報パケット検出部１０３に入力される。
【００７８】
これにより、ルータ２ａ，２ｂとトランスポンダ１ａ，１ｂは情報パケットを交換することができる。このため、ルータ２ａ，２ｂとトランスポンダ１ａ，１ｂは、光回線が削除された場合でも、互いの隣接関係を容易に認識することができる。したがって、トランスポンダ１ａ，１ｂは、光回線の削除後でもルータ２ａ，２ｂとの接続性を監視することができる。
【００７９】
また、ルータ２ａ，２ｂは、光回線の削除により光回線経由でパケットを互いに転送することが不可能となる。このため、ルータ２ａ，２ｂは、例えばＯＳＰＦのハローパケットによるタイムアウトに応じ、互いの隣接関係の解消を検出する。このため、ルータ２ａ，２ｂは、ＯＳＰＦに従い、ユーザパケットの転送経路を光回線経由の転送経路から他の転送経路に変更する（符号Ｓ２１ａ，Ｓ２１ｂ）。なお、光回線の削除から転送経路の変更までの所要時間は、例えば数十秒となる。
【００８０】
このように、トランスポンダ１ａ，１ｂとルータ２ａ，２ｂは、上記の何れの場合でも互いの隣接関係を容易に認識することができる。
【００８１】
（第２実施例）
第１実施例において、トランスポンダ１ａ，１ｂは、リンクパススルーの機能を備えていないため、ルータ２ａ，２ｂの転送経路の変更タイミングが、障害発生時または光回線の削除時から遅延する。そこで、トランスポンダ１ａ，１ｂは、障害発生時または光回線の削除時、比較例と同様のリンク制御部１７とタイマを用いることにより、転送経路の変更の所要時間だけ待ってからルータ２ａ，２ｂとのリンクを切断してもよい。
【００８２】
図８は、第２実施例のトランスポンダ１ａ，１ｂを示す構成図である。図８において、図４と共通する構成には同一の符号を付し、その説明は省略する。
【００８３】
ＣＰＵ９０は、ＲＯＭ９１からプログラムを読み込むと、機能として、動作制御部９００、光回線監視部１６ｃ、スイッチ制御部１０１、情報パケット検出部１０３、通信処理部１０４、情報パケット生成部１０５、タイマ部１１１、及びリンク制御部１１２が形成される。動作制御部９００は、光回線監視部１６ｃ、スイッチ制御部１０１、情報パケット検出部１０３、通信処理部１０４、情報パケット生成部１０５、タイマ部１１１、及びリンク制御部１１２を、ＨＷ−ＩＦ９５により受信器１０，１３、送信器１２，１５、マッピング部１１、デマッピング部１４、スイッチ部１００、及びＰＨＹ／ＭＡＣ部１０２と連携して動作させる。
【００８４】
図９は、第２実施例のトランスポンダ１ａ，１ｂの機能構成を示す図である。光回線監視部１６ｃは、上記の光回線監視部１６の機能に加えてリンク制御部１１２及びタイマ部１１１の制御機能を有する。
【００８５】
光回線監視部１６ｃは、検出部の一例であり、対向装置のトランスポンダ１ａ，１ｂとの通信の不能状態を検出する。より具体的には、光回線監視部１６ｃは、上記の実施例の光回線監視部１６と同様に光回線の未設定及び障害を検出し、また、光回線の設定及び障害の復旧を検出する。
【００８６】
光回線監視部１６ｃは、光回線の障害、回復、設定、または削除を検出した場合、スイッチ制御部１０１及びリンク制御部１１２に指示信号を出力する。スイッチ制御部１０１は、光回線の障害または削除が検出された場合、指示信号に従い、スイッチ部１００の端子ＴｃをＰＨＹ／ＭＡＣ部１０２側の端子Ｔａに接続する。
【００８７】
また、リンク制御部１１２は、光回線の障害または削除が検出された場合、指示信号に従い、送信器１５を制御することによりルータ２ａ，２ｂとのリンクを切断する。すなわち、リンク制御部１１２は、リンクパススルーの機能により光回線の障害をルータ２ａ，２ｂに通知する。
【００８８】
このため、ルータ２ａ，２ｂは、光回線の障害または削除が検出された場合、迅速に（例えば１秒以内）にユーザパケットの転送経路を変更することができる。もっとも、情報パケット生成部１０５は、スイッチ部１００の端子Ｔｃが端子Ｔａに接続されても、リンクが切断されている間、情報パケットをルータ２ａ，２ｂに送信することができない。
【００８９】
そこで、光回線監視部１６ｃは、光回線の障害または削除が検出されたとき、タイマ部１１１にタイマのスタート（計時の開始）を指示する。タイマ部１１１は、例えば、ルータ２ａ，２ｂによる転送経路の変更処理に十分な時間を計時する。タイマ部１１１は、タイマの満了をリンク制御部１１２に通知する。
【００９０】
リンク制御部１１２は、タイマの満了の通知に応じ、送信器１５を制御することによりルータ２ａ，２ｂとのリンクを再度接続する。より具体的には、リンク制御部１１２は、例えば送信器１５の出力をオンに制御する。これにより、情報パケット生成部１０５は、ルータ２ａ，２ｂに情報パケットを送信することができる。
【００９１】
このように、情報パケット生成部１０５は、対向装置のトランスポンダ１ａ，１ｂとの通信の不能状態が検出されてから所定時間が経過した後、情報パケットを送信する。このため、トランスポンダ１ａ，１ｂとルータ２ａ，２ｂは、光回線の障害または削除が検出されたとき、ルータ２ａ，２ｂの転送経路が変更された後に情報パケットを交換して互いの隣接関係を認識することができる。すなわち、本実施例によると、ルータ２ａ，２ｂの転送経路の変更タイミングが第１実施例より早めることができるため、光回線の障害または削除によるユーザパケットの損失が低減される。
【００９２】
図１０と図１１は、第２実施例の通信システムの動作を示すシーケンス図である。図１０には、光回線に障害が発生した場合（「光回線障害時」参照）の動作が示されている。図１０において、図６と共通する処理には同一の符号を付し、その説明は省略する。
【００９３】
なお、光回線が未設定である場合の動作は、第１実施例と同様である。すなわち、光回線監視部１６ｃにより光回線の未設定が検出された場合、スイッチ制御部１０１は、スイッチ部１００の端子Ｔｃの接続先をＰＨＹ／ＭＡＣ部１０２側の端子Ｔａに切り替える。これにより、ＰＨＹ／ＭＡＣ部１０２は送信器１５に接続されるため、情報パケット生成部１０５は、情報パケットを、送信器１５を介しルータ２ａ，２ｂに送信することができる。
【００９４】
また、光回線が設定した場合の動作も第１実施例と同様である。すなわち、光回線監視部１６ｃにより光回線の設定が検出された場合、スイッチ制御部１０１は、スイッチ部１００の端子Ｔｃの接続先をデマッピング部１４側の端子Ｔｂに切り替える。これにより、デマッピング部１４は送信器１５に接続されるため、トランスポンダ１ａ，１ｂは、光回線から受信した光信号をイーサネット信号に変換してルータ２ａ，２ｂに送信することができる。
【００９５】
スイッチ制御部１０１は、光回線に障害が発生した場合、光回線監視部１６ｃの指示信号に従い、スイッチ部１００の端子Ｔｃの接続先をＰＨＹ／ＭＡＣ部１０２側の端子Ｔａとする（符号Ｓ１４ａ，Ｓ１４ｂ）。また、リンク制御部１１２は、光回線監視部１６ｃの指示信号に従いルータ２ａ，２ｂとのリンクを切断する（符号Ｓ３１ａ，Ｓ３１ｂ）。さらに、タイマ部１１１は、光回線監視部１６ｃの指示信号に従い、リンク切断と実質的に同じタイミングでタイマをスタートさせる（符号Ｓ３４ａ，Ｓ３４ｂ）。
【００９６】
各ルータ２ａ，２ｂは、リンクが切断されると、リンクダウンを検出する（符号Ｓ３２ａ，Ｓ３２ｂ）。次に、各ルータ２ａ，２ｂは、リンクダウンの検出に応じ「Remote Fault」通知をトランスポンダ１ａ，１ｂに出力する。次に、各ルータ２ａ，２ｂは、「Remote Fault」通知によりトランスポンダ１ａ，１ｂを通る転送経路が使用できないと判定し、ＯＳＰＦに従いユーザパケットの転送経路を変更する（符号Ｓ３３ａ，Ｓ３３ｂ）。
【００９７】
このため、ルータ２ａ，２ｂは、例えばＯＳＰＦのハローパケットのタイムアウトにより他方のルータ２ｂ，２ａとの隣接関係が解消するまで待つことなく、光回線の障害に応じ迅速に転送経路を変更することができる。
【００９８】
タイマ部１１１はタイマにより所定時間Ｔ１を計時する。所定時間Ｔ１は、ルータ２ａ，２ｂの転送経路の変更処理に十分な時間に予め設定されている。タイマ部１１１は、タイマの満了を検出すると（符号Ｓ３５ａ，Ｓ３５ｂ）、その旨をリンク制御部１１２に通知する。
【００９９】
リンク制御部１１２は、タイマ満了の通知に応じ、ルータ２ａ，２ｂとリンクを接続する（符号Ｓ３６ａ，Ｓ３６ｂ）。これにより、送信器１５は、ルータ２ａ，２ｂにイーサネット信号を送信することができるようになるため、情報パケット生成部１０５は、送信器１５を介しルータ２ａ，２ｂに情報パケットを送信することができる。
【０１００】
また、ルータ２ａ，２ｂは、送信器１５からイーサネット信号（例えばアイドル信号）を受信することによりトランスポンダ１ａ，１ｂとのリンクアップを検出する（符号Ｓ３７ａ，Ｓ３７ｂ）。
【０１０１】
これにより、ルータ２ａ，２ｂとトランスポンダ１ａ，１ｂは情報パケットを交換することができる。このため、ルータ２ａ，２ｂとトランスポンダ１ａ，１ｂは、光回線に障害が発生した場合でも、互いの隣接関係を容易に認識することができる。したがって、トランスポンダ１ａ，１ｂは、障害発生中にルータ２ａ，２ｂとの接続性を監視することができる。
【０１０２】
このように、リンク制御部１１２は、停止制御部及び停止制御回路の一例として、光回線監視部１６ｃにより対向装置のトランスポンダ１ａ，１ｂとの通信の不能状態が検出された場合、送信器１５にイーサネット信号の送信を停止させ、所定時間Ｔ１が経過した後、送信器１５にイーサネット信号の送信を再開させる。
【０１０３】
このため、トランスポンダ１ａ，１ｂは、ルータ２ａ，２ｂとのリンクを切断することにより、ルータ２ａ，２ｂに光回線の使用不能状態を通知することができる。したがって、ルータ２ａ，２ｂは、光回線の障害に応じて迅速に転送経路を変更することができるため、障害によるユーザパケットの損失が低減される。また、トランスポンダ１ａ，１ｂは、所定時間Ｔ１の経過後、送信器１５にイーサネット信号の送信を再開させるため、ルータ２ａ，２ｂの転送経路の変更完了を待ってからルータ２ａ，２ｂに情報パケットを送信することができる。
【０１０４】
図１１には、光回線が削除された場合（「光回線削除時」参照）の動作が示されている。図１１において、図７及び図１０と共通する処理には同一の符号を付し、その説明は省略する。
【０１０５】
なお、光回線の障害が回復した場合の動作は第１実施例と同様である。すなわち、光回線監視部１６ｃにより光回線の障害の回復が検出された場合、スイッチ制御部１０１は、スイッチ部１００の端子Ｔｃの接続先をデマッピング部１４側の端子Ｔｂに切り替える。これにより、デマッピング部１４は送信器１５に接続されるため、トランスポンダ１ａ，１ｂは、光回線から受信した光信号をイーサネット信号に変換してルータ２ａ，２ｂに送信することができる。
【０１０６】
各トランスポンダ１ａ，１ｂの光回線監視部１６は、光回線の削除を検出すると（符号Ｓ１９ａ，Ｓ１９ｂ）、スイッチ部１００の端子Ｔｃの接続先をＰＨＹ／ＭＡＣ部１０２側の端子Ｔａに切り替えるようにスイッチ制御部１０１に指示信号を出力する（符号Ｓ２０ａ，Ｓ２０ｂ）。その後、上記の符号Ｓ３１ａ〜Ｓ３７ａ及び符号Ｓ３１ｂ〜Ｓ３７ｂで示される動作が実行される。
【０１０７】
このため、ルータ２ａ，２ｂとトランスポンダ１ａ，１ｂは、光回線が削除された場合でも、互いの隣接関係を容易に認識することができる。したがって、トランスポンダ１ａ，１ｂは、光回線の削除後もルータ２ａ，２ｂとの接続性を監視することができる。
【０１０８】
本実施例において、情報パケット生成部１０５は、対向装置のトランスポンダ１ａ，１ｂとの通信の不能状態が検出されてから所定時間Ｔ１が経過した後、情報パケットを送信する。このため、トランスポンダ１ａ，１ｂは、ルータ２ａ，２ｂの転送経路の変更完了を待って隣接関係を認識することができる。
【０１０９】
（第３実施例）
第２実施例において、トランスポンダ１ａ，１ｂは、ルータ２ａ，２ｂとのリンクを切断することによりルータ２ａ，２ｂに光回線の未設定または障害を通知したが、リンクの切断に代えて、ＩＥＥＥ８０２．３で規定された「Remote Fault」（または「Local Fault」）をルータ２ａ，２ｂに通知してもよい。
【０１１０】
図１２は、第３実施例のトランスポンダ１ａ，１ｂを示す構成図である。図１２において、図４と共通する構成には同一の符号を付し、その説明は省略する。
【０１１１】
トランスポンダ１ａ，１ｂは、ＣＰＵ９０、ＲＯＭ９１、ＲＡＭ９２、メモリ９３、通信ポート９４、ＨＷ−ＩＦ９５、受信器１０，１３、送信器１２，１５、マッピング部１１、デマッピング部１４、スイッチ部１００ｄ、状態通知部１２１、及びＰＨＹ／ＭＡＣ部１０２を有する。ＣＰＵ９０は、ＲＯＭ９１からプログラムを読み込むと、機能として、動作制御部９００、光回線監視部１６ｄ、スイッチ制御部１０１ｄ、情報パケット検出部１０３、通信処理部１０４、情報パケット生成部１０５、及びタイマ部１１１ｄが形成される。
【０１１２】
動作制御部９００は、光回線監視部１６ｄ、スイッチ制御部１０１ｄ、情報パケット検出部１０３、通信処理部１０４、情報パケット生成部１０５、及びタイマ部１１１ｄを、ＨＷ−ＩＦ９５により受信器１０，１３、送信器１２，１５、マッピング部１１、デマッピング部１４、スイッチ部１００ｄ、状態通知部１２１、及びＰＨＹ／ＭＡＣ部１０２と連携して動作させる。
【０１１３】
図１３は、第３実施例のトランスポンダ１ａ，１ｂの機能構成を示す図である。図１３において、図５と共通する構成には同一の符号を付し、その説明は省略する。
【０１１４】
送信器１５は、スイッチ部１００ｄを介してデマッピング部１４、ＰＨＹ／ＭＡＣ部１０２、及び状態通知部１２１に接続されている。スイッチ部１００ｄは、ＰＨＹ／ＭＡＣ部１０２につながる端子Ｔａと、デマッピング部１４につながる端子Ｔｂと、送信器１５につながる端子Ｔｃと、状態通知部１２１につながる端子Ｔｄとを有する。つまり、スイッチ部１００ｄは、第１及び第２実施例のスイッチ部１００に端子Ｔｄが追加されたものである。
【０１１５】
スイッチ部１００ｄは、スイッチ制御部１０１ｄの制御により端子Ｔｃの接続先が端子Ｔａ、端子Ｔｂ、または端子Ｔｄに切り替えられる。なお、スイッチ部１００ｄは、例えば物理的なスイッチまたは論理回路により構成される。
【０１１６】
状態通知部１２１は、通知部及び通知回路の一例であり、スイッチ部１００ｄの端子Ｔｃが端子Ｔｄに接続されたとき、クライアントネットワークＮＷａ，ＮＷｂのルータ２ａ，２ｂに対向装置のトランスポンダ１ａ，１ｂとの通信の不能状態を通知する。より具体的には、状態通知部１２１は、送信器１５を介し「Remote Fault」通知をルータ２ａ，２ｂに送信する。ルータ２ａ，２ｂは、「Remote Fault」通知に応じ転送経路を変更する。なお、状態通知部１２１は、例えばＦＰＧＡなどの論理回路により構成される。
【０１１７】
光回線監視部１６ｄは、検出部の一例であり、対向装置のトランスポンダ１ａ，１ｂとの通信の不能状態を検出する。より具体的には、光回線監視部１６ｄは、上記の実施例の光回線監視部１６，１６ｃと同様に光回線の未設定及び障害を検出し、また、光回線の設定及び障害の復旧を検出する。
【０１１８】
光回線監視部１６ｄは、光回線の未設定及び障害を検出した場合、スイッチ制御部１０１ｄに、スイッチ部１００ｄの端子Ｔｃの接続先を状態通知部１２１側の端子Ｔｄに切り替えるように指示信号を出力する。スイッチ制御部１０１ｄは、指示信号に従い、スイッチ部１００ｄの端子Ｔｃの接続先を状態通知部１２１側の端子Ｔｄに切り替える。
【０１１９】
このため、状態通知部１２１は、光回線監視部１６ｄにより光回線の未設定及び障害が検出された場合、つまり対向装置のトランスポンダ１ａ，１ｂとの通信の不能状態が検出された場合、ルータ２ａ，２ｂに対向装置のトランスポンダ１ａ，１ｂとの通信の不能状態を通知する。これにより、ルータ２ａ，２ｂは、光回線の使用が不可能であってもトランスポンダ１ａ，１ｂとのリンクを切断されることなく、迅速に転送経路を変更することができる。
【０１２０】
また、光回線監視部１６ｄの指示信号は、スイッチ制御部１０１ｄだけでなく、タイマ部１１１ｄにも入力される。タイマ部１１１ｄは、指示信号の入力に応じてタイマをスタートさせ、ルータ２ａ，２ｂの転送経路の変更に十分な時間を計時する。タイマ部１１１ｄは、タイマの満了をスイッチ制御部１０１ｄに通知する。スイッチ制御部１０１ｄは、タイマ満了の通知に応じ、スイッチ部１００ｄの端子Ｔｃの接続先をＰＨＹ／ＭＡＣ部１０２側の端子Ｔａに切り替える。
【０１２１】
このため、トランスポンダ１ａ，１ｂは、ルータ２ａ，２ｂの転送経路の変更後にルータ２ａ，２ｂと情報パケットを交換することができる。
【０１２２】
図１４と図１５は、第３実施例の通信システムの動作を示すシーケンス図である。図１４には、光回線に障害が発生した場合（「光回線障害時」参照）の動作が示されている。図１４において、図６と共通する処理には同一の符号を付し、その説明は省略する。
【０１２３】
なお、光回線が未設定である場合の動作は、第１実施例と同様である。すなわち、光回線監視部１６ｄにより光回線の未設定が検出された場合、スイッチ制御部１０１ｄは、スイッチ部１００ｄの端子Ｔｃの接続先をＰＨＹ／ＭＡＣ部１０２側の端子Ｔａに切り替える。これにより、ＰＨＹ／ＭＡＣ部１０２は送信器１５に接続されるため、情報パケット生成部１０５は、情報パケットを、送信器１５を介しルータ２ａ，２ｂに送信することができる。
【０１２４】
また、光回線が設定した場合の動作も第１実施例と同様である。すなわち、光回線監視部１６ｄにより光回線の設定が検出された場合、スイッチ制御部１０１ｄは、スイッチ部１００の端子Ｔｃの接続先をデマッピング部１４側の端子Ｔｂに切り替える。これにより、デマッピング部１４は送信器１５に接続されるため、トランスポンダ１ａ，１ｂは、光回線から受信した光信号をイーサネット信号に変換してルータ２ａ，２ｂに送信することができる。
【０１２５】
スイッチ制御部１０１ｄは、光回線に障害が発生した場合、光回線監視部１６ｄの指示信号に従い、スイッチ部１００ｄの端子Ｔｃの接続先を状態通知部１２１側の端子Ｔｄとする（符号Ｓ４１ａ，Ｓ４１ｂ）。これにより、状態通知部１２１は、送信器１５を介し「Remote Fault」通知をルータ２ａ，２ｂに送信することができる。また、タイマ部１１１ｄは、光回線監視部１６ｄの指示信号に従い、「Remote Fault」通知の送信と実質的に同じタイミングでタイマをスタートさせる（符号Ｓ４２ａ，Ｓ４２ｂ）。
【０１２６】
各ルータ２ａ，２ｂは、「Remote Fault」通知によりトランスポンダ１ａ，１ｂを通る転送経路が使用できないと判定し、ＯＳＰＦに従いユーザパケットの転送経路を変更する（符号Ｓ４３ａ，Ｓ４３ｂ）。
【０１２７】
タイマ部１１１ｄはタイマにより所定時間Ｔ２を計時する。所定時間Ｔ２は、ルータ２ａ，２ｂの転送経路の変更処理に十分な時間に予め設定されている。タイマ部１１１ｄは、タイマの満了を検出すると（符号Ｓ４４ａ，Ｓ４４ｂ）、その旨をスイッチ制御部１０１ｄに通知する。
【０１２８】
スイッチ制御部１０１ｄは、タイマ満了の通知に応じ、スイッチ部１００ｄの端子Ｔｃの接続先をＰＨＹ／ＭＡＣ部１０２側の端子Ｔａとする（符号Ｓ４５ａ，Ｓ４５ｂ）。これにより、送信器１５はＰＨＹ／ＭＡＣ部１０２に接続されるため、情報パケット生成部１０５は、送信器１５を介しルータ２ａ，２ｂに情報パケットを送信することができる。
【０１２９】
これにより、ルータ２ａ，２ｂとトランスポンダ１ａ，１ｂは情報パケットを交換することができる。このため、ルータ２ａ，２ｂとトランスポンダ１ａ，１ｂは、光回線に障害が発生した場合でも、互いの隣接関係を容易に認識することができる。したがって、トランスポンダ１ａ，１ｂは、障害発生中にルータ２ａ，２ｂとの接続性を監視することができる。
【０１３０】
このように、状態通知部１２１は、光回線監視部１６ｄにより光回線の障害が検出された場合、ルータ２ａ，２ｂに「Remote Fault」を通知する。このため、ルータ２ａ，２ｂは、光回線が障害発生中であってもトランスポンダ１ａ，１ｂとのリンクを切断されることなく、トランスポンダ１ａ，１ｂからの通知に応じて迅速に転送経路を変更することができる。
【０１３１】
図１５には、光回線が削除された場合（「光回線削除時」参照）の動作が示されている。図１５において、図７及び図１４と共通する処理には同一の符号を付し、その説明は省略する。
【０１３２】
なお、光回線の障害が回復した場合の動作は第１実施例と同様である。すなわち、光回線監視部１６ｄにより光回線の障害の回復が検出された場合、スイッチ制御部１０１ｄは、スイッチ部１００ｄの端子Ｔｃの接続先をデマッピング部１４側の端子Ｔｂに切り替える。これにより、デマッピング部１４は送信器１５に接続されるため、トランスポンダ１ａ，１ｂは、光回線から受信した光信号をイーサネット信号に変換してルータ２ａ，２ｂに送信することができる。
【０１３３】
各トランスポンダ１ａ，１ｂの光回線監視部１６は、光回線の削除を検出すると（符号Ｓ１９ａ，Ｓ１９ｂ）、スイッチ部１００ｄの端子Ｔｃの接続先を状態通知部１２１側の端子Ｔｄに切り替えるようにスイッチ制御部１０１に指示信号を出力する（符号Ｓ４１ａ，Ｓ４１ｂ）。その後、上記の符号Ｓ４２ａ〜Ｓ４５ａ及び符号Ｓ４２ｂ〜Ｓ４５ｂで示される動作が実行される。
【０１３４】
このように、状態通知部１２１は、光回線監視部１６ｄにより光回線の削除が検出された場合、ルータ２ａ，２ｂに「Remote Fault」を通知する。このため、ルータ２ａ，２ｂは、光回線が削除されてもトランスポンダ１ａ，１ｂとのリンクを切断されることなく、トランスポンダ１ａ，１ｂからの通知に応じて迅速に転送経路を変更することができる。
【０１３５】
本実施例において、状態通知部１２１は、光回線監視部１６ｄにより対向装置のトランスポンダ１ａ，１ｂとの通信の不能状態が検出された場合、クライアントネットワークＮＷａ，ＮＷｂにその対向装置との通信の不能状態を通知する。このため、ルータ２ａ，２ｂは、光回線の使用が不可能であってもトランスポンダ１ａ，１ｂとのリンクを切断されることなく、トランスポンダ１ａ，１ｂからの通知に応じて迅速に転送経路を変更することができる。
【０１３６】
（第４実施例）
第３実施例において、タイマ部１１１ｄは、光回線の障害または削除に応じて「Remote Fault」通知が送信されたときにタイマをスタートさせるが、ルータ２ａ，２ｂから「Remote Fault」通知を受信したときにタイマをスタートさせてもよい。この場合、タイマの満了時間を、トランスポンダ１ａ，１ｂとルータ２ａ，２ｂの間の伝送遅延などを考慮せずに容易に見積もることが可能となる。
【０１３７】
図１６は、第４実施例のトランスポンダ１ａ，１ｂを示す構成図である。図１６において、図４と共通する構成には同一の符号を付し、その説明は省略する。
【０１３８】
トランスポンダ１ａ，１ｂは、ＣＰＵ９０、ＲＯＭ９１、ＲＡＭ９２、メモリ９３、通信ポート９４、ＨＷ−ＩＦ９５、受信器１０，１３、送信器１２，１５、マッピング部１１、デマッピング部１４、スイッチ部１００、及びＰＨＹ／ＭＡＣ部１０２ｅを有する。ＣＰＵ９０は、ＲＯＭ９１からプログラムを読み込むと、機能として、動作制御部９００、光回線監視部１６ｅ、スイッチ制御部１０１、情報パケット検出部１０３、通信処理部１０４、情報パケット生成部１０５、タイマ部１１１ｅ、リンク制御部１１２、及び障害通知検出部１３１が形成される。
【０１３９】
動作制御部９００は、光回線監視部１６ｅ、スイッチ制御部１０１、情報パケット検出部１０３、通信処理部１０４、情報パケット生成部１０５、タイマ部１１１ｅ、リンク制御部１１２、及び障害通知検出部１３１を、ＨＷ−ＩＦ９５により受信器１０，１３、送信器１２，１５、マッピング部１１、デマッピング部１４、スイッチ部１００、及びＰＨＹ／ＭＡＣ部１０２ｅと連携して動作させる。
【０１４０】
図１７は、第４実施例のトランスポンダ１ａ，１ｂの機能構成を示す図である。図１７において、図９と共通する構成には同一の符号を付し、その説明は省略する。
【０１４１】
ＰＨＹ／ＭＡＣ部１０２ｅは、上記のＰＨＹ／ＭＡＣ部１０２と同様の機能に加えて、ルータ２ａ，２ｂから受信器１０を介し入力されたイーサネット信号を障害通知検出部１３１に出力する機能を有する。障害通知検出部１３１は、ＰＨＹ／ＭＡＣ部１０２ｅから入力されたイーサネット信号から「Remote Fault」通知（つまり通信不能状態の通知）を検出する。障害通知検出部１３１は、「Remote Fault」通知を検出すると、タイマ部１１１ｅにタイマスタートの指示信号を出力する。
【０１４２】
光回線監視部１６ｅは、検出部の一例であり、対向装置のトランスポンダ１ａ，１ｂとの通信の不能状態を検出する。より具体的には、光回線監視部１６ｅは、上記の実施例の光回線監視部１６，１６ｃ，１６ｄと同様に光回線の未設定及び障害を検出し、また、光回線の設定及び障害の復旧を検出する。
【０１４３】
光回線監視部１６ｅは、光回線の未設定及び障害を検出した場合、スイッチ制御部１０１に、スイッチ部１００の端子Ｔｃの接続先をＰＨＹ／ＭＡＣ部１０２ｅ側の端子Ｔａに切り替えるように指示信号を出力する。スイッチ制御部１０１は、指示信号に従い、スイッチ部１００の端子Ｔｃの接続先をＰＨＹ／ＭＡＣ部１０２側の端子Ｔａに切り替える。
【０１４４】
また、リンク制御部１１２は、光回線の障害または削除が検出された場合、指示信号に従い、送信器１５を制御することによりルータ２ａ，２ｂとのリンクを切断する。すなわち、リンク制御部１１２は、リンクパススルーの機能により光回線の障害をルータ２ａ，２ｂに通知する。
【０１４５】
また、タイマ部１１１ｅは、障害通知検出部１３１からの指示信号の入力に応じてタイマをスタートさせ、ルータ２ａ，２ｂの転送経路の変更に十分な時間を計時する。タイマ部１１１ｅは、タイマの満了をスイッチ制御部１０１ｄに通知する。リンク制御部１１２は、タイマ満了の通知に応じ、送信器１５を制御することによりルータ２ａ，２ｂとのリンクを再度接続する。
【０１４６】
このように、タイマ部１１１ｅは、ルータ２ａ，２ｂからの「Remote Fault」通知に応じてタイマをスタートさせる。リンク制御部１１２は、光回線監視部１６ｅによる光回線の障害または削除の検出に応じルータ２ａ，２ｂとのリンクを切断し、タイマ部１１１ｅからのタイマ満了の通知に応じリンクを再接続する。
【０１４７】
図１８と図１９は、第４実施例の通信システムの動作を示すシーケンス図である。図１８には、光回線に障害が発生した場合（「光回線障害時」参照）の動作が示されている。図１８において、図１０と共通する処理には同一の符号を付し、その説明は省略する。
【０１４８】
なお、光回線が未設定である場合の動作は、第１実施例と同様である。すなわち、光回線監視部１６ｅにより光回線の未設定が検出された場合、スイッチ制御部１０１は、スイッチ部１００の端子Ｔｃの接続先をＰＨＹ／ＭＡＣ部１０２側の端子Ｔａに切り替える。これにより、ＰＨＹ／ＭＡＣ部１０２は送信器１５に接続されるため、情報パケット生成部１０５は、情報パケットを、送信器１５を介しルータ２ａ，２ｂに送信することができる。
【０１４９】
また、光回線が設定した場合の動作も第１実施例と同様である。すなわち、光回線監視部１６ｅにより光回線の設定が検出された場合、スイッチ制御部１０１は、スイッチ部１００の端子Ｔｃの接続先をデマッピング部１４側の端子Ｔｂに切り替える。これにより、デマッピング部１４は送信器１５に接続されるため、トランスポンダ１ａ，１ｂは、光回線から受信した光信号をイーサネット信号に変換してルータ２ａ，２ｂに送信することができる。
【０１５０】
各ルータ２ａ，２ｂは、リンクダウンの検出に応じ「Remote Fault」通知をトランスポンダ１ａ，１ｂに出力する。次に、各ルータ２ａ，２ｂは、リンクダウンの検出によりトランスポンダ１ａ，１ｂを通る転送経路が使用できないと判定し、ＯＳＰＦに従いユーザパケットの転送経路を変更する（符号Ｓ３３ａ，Ｓ３３ｂ）。
【０１５１】
トランスポンダ１ａ，１ｂの障害通知検出部１３１は、ルータ２ａ，２ｂからの「Remote Fault」通知を検出する（符号Ｓ５１ａ，Ｓ５１ｂ）。タイマ部１１１ｅは、「Remote Fault」通知の検出に応じタイマをスタートさせる（符号Ｓ５２ａ，Ｓ５２ｂ）。
【０１５２】
タイマ部１１１ｅはタイマにより所定時間Ｔ３を計時する。所定時間Ｔ３は、ルータ２ａ，２ｂの転送経路の変更処理に十分な時間に予め設定されている。タイマ部１１１ｅは、タイマの満了を検出すると（符号Ｓ５３ａ，Ｓ５３ｂ）、その旨をリンク制御部１１２に通知する。
【０１５３】
リンク制御部１１２は、タイマ満了の通知に応じ、ルータ２ａ，２ｂとリンクを接続する（符号Ｓ３６ａ，Ｓ３６ｂ）。これにより、送信器１５は、ルータ２ａ，２ｂにイーサネット信号を送信することができるようになるため、情報パケット生成部１０５は、送信器１５を介しルータ２ａ，２ｂに情報パケットを送信することができる。
【０１５４】
また、ルータ２ａ，２ｂは、送信器１５からイーサネット信号（例えばアイドル信号）を受信することによりトランスポンダ１ａ，１ｂとのリンクアップを検出する（符号Ｓ３７ａ，Ｓ３７ｂ）。
【０１５５】
これにより、ルータ２ａ，２ｂとトランスポンダ１ａ，１ｂは情報パケットを交換することができる。このため、ルータ２ａ，２ｂとトランスポンダ１ａ，１ｂは、光回線に障害が発生した場合でも、互いの隣接関係を容易に認識することができる。したがって、トランスポンダ１ａ，１ｂは、障害発生中にルータ２ａ，２ｂとの接続性を監視することができる。
【０１５６】
図１９には、光回線が削除された場合（「光回線削除時」参照）の動作が示されている。図１９において、図１１及び図１８と共通する処理には同一の符号を付し、その説明は省略する。
【０１５７】
なお、光回線の障害が回復した場合の動作は第１実施例と同様である。すなわち、光回線監視部１６ｅにより光回線の障害の回復が検出された場合、スイッチ制御部１０１は、スイッチ部１００の端子Ｔｃの接続先をデマッピング部１４側の端子Ｔｂに切り替える。これにより、デマッピング部１４は送信器１５に接続されるため、トランスポンダ１ａ，１ｂは、光回線から受信した光信号をイーサネット信号に変換してルータ２ａ，２ｂに送信することができる。
【０１５８】
各トランスポンダ１ａ，１ｂの光回線監視部１６ｅは、光回線の削除を検出すると（符号Ｓ１９ａ，Ｓ１９ｂ）、スイッチ部１００の端子Ｔｃの接続先をＰＨＹ／ＭＡＣ部１０２ｅ側の端子Ｔａに切り替えるようにスイッチ制御部１０１に指示信号を出力する（符号Ｓ２０ａ，Ｓ２０ｂ）。その後、上記の符号Ｓ３１ａ〜Ｓ３３ａ，Ｓ３６ａ，Ｓ３７ａ，Ｓ５１ａ〜Ｓ５３ａ及び符号Ｓ３１ｂ〜Ｓ３３ｂ，Ｓ３６ｂ，Ｓ３７ｂ，Ｓ５１ｂ〜Ｓ５３ｂで示される動作が実行される。
【０１５９】
このため、ルータ２ａ，２ｂとトランスポンダ１ａ，１ｂは、光回線が削除された場合でも、互いの隣接関係を容易に認識することができる。したがって、トランスポンダ１ａ，１ｂは、光回線の削除後もルータ２ａ，２ｂとの接続性を監視することができる。
【０１６０】
本実施例において、情報パケット生成部１０５は、対向装置のトランスポンダ１ａ，１ｂとの通信の不能状態が検出されてから所定時間Ｔ３が経過した後、情報パケットを送信する。このため、トランスポンダ１ａ，１ｂは、ルータ２ａ，２ｂの転送経路の変更完了を待って隣接関係を認識することができる。
【０１６１】
本実施例において、リンク制御部１１２は、光回線監視部１６ｅにより対向装置のトランスポンダ１ａ，１ｂとの通信の不能状態が検出された場合、送信器１５にイーサネット信号の送信を停止させる。また、リンク制御部１１２は、その停止に応じクライアントネットワークＮＷａ，ＮＷｂ内のルータ２ａ，２ｂから通信不能状態が通知されてから所定時間Ｔ３が経過した後、送信器１５にイーサネット信号の送信を再開させる。
【０１６２】
このため、トランスポンダ１ａ，１ｂとルータ２ａ，２ｂは、光回線の障害または削除が検出されたとき、ルータ２ａ，２ｂの転送経路が変更された後に情報パケットを交換して互いの隣接関係を認識することができる。また、タイマ部１１１ｅは、ルータ２ａ，２ｂから「Remote Fault」通知を受信したときにタイマをスタートさせるため、タイマの満了時間を、トランスポンダ１ａ，１ｂとルータ２ａ，２ｂの間の伝送遅延などを考慮せずに容易に見積もることが可能となる。
【０１６３】
上述したように、トランスポンダ１ａ，１ｂは、光回線による対向装置のトランスポンダ１ｂ，１ａとの通信の可否によらず、ルータ２ａ，２ｂとの間で情報パケットを交換することができる。トランスポンダ１ａ，１ｂは、情報パケットの交換により隣接装置情報９３０を取得してメモリ９３に保持する。
【０１６４】
通信処理部１０４は、ＷＤＭネットワーク制御装置４からの要求に応じて、隣接装置情報９３０を通信ポート９４からＷＤＭネットワーク制御装置４に送信する。このため、ＷＤＭネットワーク制御装置４は、ＷＤＭネットワークＮＷｃの監視制御に隣接装置情報９３０を用いることができる。以下にＷＤＭネットワーク制御装置４について述べる。
【０１６５】
（ＷＤＭネットワーク制御装置）
図２０は、ＷＤＭネットワーク制御装置４の一例を示す構成図である。ＷＤＭネットワーク制御装置４は、例えばサーバ装置であり、ＣＰＵ４０、ＲＯＭ４１、ＲＡＭ４２、ＨＤＤ４３、複数の通信ポート４４、入力装置４５、及び出力装置４６を有する。ＣＰＵ４０は、互いに信号の入出力ができるように、ＲＯＭ４１、ＲＡＭ４２、ＨＤＤ４３、複数の通信ポート４４、入力装置４５、及び出力装置４６と、バス４９を介して接続されている。なお、ＷＤＭネットワーク制御装置４は、ＣＰＵ４０に代えて、マイクロプロセッサなどの他のプロセッサを有してもよい。
【０１６６】
ＲＯＭ４１は、ＣＰＵ４０を駆動するプログラムが格納されている。ＲＡＭ４２は、ＣＰＵ４０のワーキングメモリとして機能する。複数の通信ポート４４は、例えば無線ＬＡＮ（Local Area Network）カードやＮＩＣ（Network Interface Card）であり、ＷＤＭネットワークＮＷｃ内のＲＯＡＤＭ３ａ，３ｂ及びトランスポンダ１ａ，１ｂとの通信を処理する。
【０１６７】
入力装置４５は、ＷＤＭネットワーク制御装置４に情報を入力する装置である。入力装置４５としては、例えばキーボード、マウス、及びタッチパネルなどが挙げられる。入力装置４５は、入力された情報を、バス４９を介しＣＰＵ４０に出力する。
【０１６８】
出力装置４６は、ＷＤＭネットワーク制御装置４の情報を出力する装置である。出力装置４６としては、例えばディスプレイ、タッチパネル、及びプリンタなどが挙げられる。出力装置４６は、ＣＰＵ４０からバス４９を介して情報を取得して出力する。
【０１６９】
ＣＰＵ４０は、ＲＯＭ４１からプログラムを読み込むと、機能として、通信処理部４００、隣接装置情報収集部４０１、コマンド生成部４０２、波長割り当て部４０３、経路算出部４０４、端部装置特定部４０５、及びデータベース監視部４０６が形成される。また、ＨＤＤ４３には、ネットワーク（ＮＷ）構成情報データベース（ＤＢ）４３０、波長情報データベース（ＤＢ）４３１、及び隣接装置情報データベース（ＤＢ）４３２が格納されている。なお、プログラムによりＣＰＵ４０に形成される機能は、ＦＰＧＡなどにより論理回路として構成されてもよい。これは、他の実施例においても同様である。
【０１７０】
通信処理部４００は、例えばＮＥＴＣＯＮＦのクライアント機能を有し、複数の通信ポート４４を介した通信を処理する。隣接装置情報収集部４０１は、通信処理部４００により各トランスポンダ１ａ，１ｂから隣接装置情報９３０を収集する。隣接装置情報収集部４０１は、各トランスポンダ１ａ，１ｂから収集した隣接装置情報９３０をＨＤＤ４３の隣接装置情報ＤＢ４３２に登録する。隣接装置情報ＤＢ４３２には、隣接装置情報９３０のトランスポンダＩＤ（ＴＰ−ＩＤ）（＃１〜＃３）及び隣接ルータのサブネットが登録されている。なお、本例において、情報パケットはＯＳＰＦのハローパケットであると仮定する。また、本例において、トランスポンダ１ａのＴＰ−ＩＤを＃１とし、トランスポンダ１ｂのＴＰ−ＩＤを＃２とする。
【０１７１】
データベース監視部４０６は隣接装置情報ＤＢ４３２を監視する。データベース監視部４０６は、隣接装置情報ＤＢ４３２に新規の隣接装置情報９３０が追加されたか否かを判定する。データベース監視部４０６は、隣接装置情報９３０が追加されている場合、新たなルータ２ａ，２ｂがＷＤＭネットワークＮＷｃに接続されたことを認識して、端部装置特定部４０５に新規の光回線の両端のトランスポンダ１ａ，１ｂの特定処理の開始を指示する。
【０１７２】
端部装置特定部４０５は、隣接装置情報ＤＢ４３２を参照することにより新規の光回線の両端のトランスポンダ１ａ，１ｂを特定する。より具体的には、端部装置特定部４０５は、隣接装置情報ＤＢ４３２から、追加された新規の隣接装置情報９３０と隣接ルータのサブネットが共通する隣接装置情報９３０のＴＰ−ＩＤを検索する。例えば、ＴＰ−ＩＤが＃２である隣接装置情報９３０が隣接装置情報ＤＢ４３２に追加された場合、端部装置特定部４０５は、その隣接装置情報９３０と共通のサブネットのＴＰ−ＩＤ＝＃１を検索する。
【０１７３】
これにより、端部装置特定部４０５は、例えばＴＰ−ＩＤ＝＃１のトランスポンダ１ａとＴＰ−ＩＤ＝＃２のトランスポンダ１ｂを光回線の両端の装置として特定する。端部装置特定部４０５は、特定した両端のトランスポンダ１ａ，１ｂを経路算出部４０４に通知する。
【０１７４】
経路算出部４０４は、ＮＷ構成情報ＤＢ４３０を参照することにより、端部装置特定部４０５により特定されたトランスポンダ１ａ，１ｂを両端として光回線の経路を算出する。ＮＷ構成情報ＤＢ４３０には、ＷＤＭネットワークＮＷｃの構成を示す情報が予め登録されている。経路算出部４０４は、算出した経路の情報を波長割り当て部４０３に出力する。
【０１７５】
波長割り当て部４０３は、経路算出部４０４が算出した光回線の経路に、波長情報ＤＢ４３１から検索した波長を割り当てる。波長情報ＤＢ４３１には、波長ごとの光回線への割り当て状態が登録されている。波長割り当て部４０３は、未割当の波長を新規の光回線に割り当てる。波長割り当て部４０３は、割り当てた波長の情報と経路の情報をコマンド生成部４０２に出力する。
【０１７６】
コマンド生成部４０２は、波長及び経路の各情報からトランスポンダ１ａ，１ｂ及びＲＯＡＤＭ３ａ，３ｂに対する光回線の設定コマンドを生成し、通信処理部４００から通信ポート４４を介してトランスポンダ１ａ，１ｂ及びＲＯＡＤＭ３ａ，３ｂに送信する。
【０１７７】
このように、ＷＤＭネットワーク制御装置４は、トランスポンダ１ａ，１ｂから隣接装置情報９３０を収集するため、ＷＤＭネットワークＮＷｃに対し光回線を容易に設定することができる。また、ＷＤＭネットワーク制御装置４は、クライアントネットワーク制御装置５と連携して光回線を設定してもよい。
【０１７８】
図２１は、ＷＤＭネットワーク制御装置４の他の例を示す構成図である。図２１において、図２０と共通する構成には同一の符号を付し、その説明は省略する。
【０１７９】
ＣＰＵ４０は、ＲＯＭ４１からプログラムを読み込むと、機能として、通信処理部４００、隣接装置情報収集部４０１、コマンド生成部４０２、波長割り当て部４０３、経路算出部４０４、端部装置特定部４０５ａ、及び設定要求受付部４０７が形成される。また、ＨＤＤ４３には、ＮＷ構成情報ＤＢ４３０、波長情報ＤＢ４３１、及び隣接装置情報ＤＢ４３２ａが格納されている。
【０１８０】
本例において、情報パケットは、ＬＬＤＰ（Link Layer Discovery Protocol）パケットであると仮定する。このため、隣接装置情報９３０には、隣接ルータ情報として、ルータ２ａ，２ｂのシャーシＩＤ及びポートＩＤが含まれる。シャーシＩＤは、ルータ２ａ，２ｂのシャーシ（筐体）の識別番号であり、ポートＩＤは、ルータ２ａ，２ｂのポートの識別番号である。隣接装置情報ＤＢ４３２ａには、ＴＰ−ＩＤ、シャーシＩＤ、及びポートＩＤが登録されている。
【０１８１】
設定要求受付部４０７は、クライアントネットワーク制御装置５から光回線の設定の要求を受け付ける。設定の要求には、光回線による接続対象のルータ２ａ，２ｂのシャーシＩＤ及びポートＩＤが指定されている。設定要求受付部４０７はシャーシＩＤ及びポートＩＤを端部装置特定部４０５ａに出力する。
【０１８２】
端部装置特定部４０５ａは、光回線の設定の要求で指定されたシャーシＩＤ及びポートＩＤに基づき隣接装置情報ＤＢ４３２ａから、ルータ２ａ，２ｂの間を接続する光回線の両端のトランスポンダ１ａ，１ｂを特定する。端部装置特定部４０５ａは、例えば、光回線の設定の要求にルータ２ａのポート＃３とルータ２ｂのポート＃１が指定されている場合、隣接装置情報ＤＢ４３２ａからＴＰ−ＩＤ＝＃１のトランスポンダ１ａとＴＰ−ＩＤ＝＃２のトランスポンダ１ｂを特定する。端部装置特定部４０５は、特定したトランスポンダ１ａ，１ｂを経路算出部４０４に通知する。以降は、上記の動作により光回線が設定される。
【０１８３】
このように、クライアントネットワーク制御装置５は、ＷＤＭネットワークＮＷｃの構成を認識しなくても、ＷＤＭネットワーク制御装置４と連携することにより、ルータ２ａ，２ｂの間を光回線で接続することができる。
【０１８４】
（第５実施例）
上記の実施例では、トランスポンダ１ａ，１ｂは、ＷＤＭネットワーク制御装置４に接続されたＷＤＭネットワークＮＷｃに設けられているが、ＷＤＭネットワーク制御装置４が設けられていないＷＤＭネットワークＮＷｃに設けられてもよい。
【０１８５】
図２２は、通信システムの他の例を示す構成図である。通信システムは、通信装置の一例であるトランスポンダ（ＴＰ）１ｃ〜１ｄと、クライアントネットワークＮＷａ，ＮＷｂ内のルータ（ＲＴ）２ａ，２ｂと、波長多重分離装置７ａ，７ｂとを含む。
【０１８６】
ルータ２ａは、別々のポートを介して２つのトランスポンダ１ｃ，１ｄに接続されており、ルータ２ｂは、別々のポートを介して２つのトランスポンダ１ｅ，１ｆに接続されている。ルータ２ａとトランスポンダ１ｃ，１ｄの間、及びルータ２ｂとトランスポンダ１ｅ，１ｆの間は、光ファイバにより接続されているが、金属ケーブルにより接続されてもよい。各ルータ２ａ，２ｂは、ＷＤＭネットワークＮＷｃ’内の光回線により通信する。
【０１８７】
トランスポンダ１ｃ〜１ｄ及び波長多重分離装置７ａ，７ｂは、ＷＤＭネットワークＮＷｃ’内に設けられている。トランスポンダ１ｃ，１ｄと波長多重分離装置７ａの間、及びトランスポンダ１ｅ，１ｆと波長多重分離装置７ｂの間は、一対の光ファイバによりそれぞれ接続されている。また、各波長多重分離装置７ａ，７ｂの間は、一対の光ファイバにより接続されている。
【０１８８】
波長多重分離装置７ａ，７ｂは、ＲＯＡＤＭ３ａ，３ｂとは異なり、波長選択スイッチによる波長ごとの光信号のスイッチング機能を有しておらず、Ｐｏｉｎｔ−ｔｏ−Ｐｏｉｎｔの形態の光回線を提供する。波長多重分離装置７ａは、トランスポンダ１ｃ，１ｄから波長の相違する光信号を受信して波長多重することにより波長多重光信号として他方の波長多重分離装置７ｂに送信する。
【０１８９】
波長多重分離装置７ｂは、波長多重分離装置７ａから波長多重光信号を受信し、波長ごとの光信号を分離する。波長多重分離装置７ｂは、例えば、トランスポンダ１ｃとトランスポンダ１ｅが対向関係を有し、トランスポンダ１ｄとトランスポンダ１ｆが対向関係を有する場合、トランスポンダ１ｃの光信号をトランスポンダ１ｅに送信し、トランスポンダ１ｄの光信号をトランスポンダ１ｆに送信する。なお、波長多重分離装置７ａ，７ｂは、波長多重分離装置７ｂから波長多重分離装置７ａに向かう伝送方向においても同様にトランスポンダ１ｃ〜１ｄの間の対向関係に基づき伝送処理を行う。
【０１９０】
各トランスポンダ１ｃ〜１ｆは、制御ネットワークＮＷｄを介して隣接装置情報９３０を交換することにより、ＷＤＭネットワークＮＷｃ’内のトランスポンダ１ｃ〜１ｆから対向装置を特定し、対向装置のトランスポンダ１ｃ〜１ｆとの間で通信条件に関するネゴシエーションを実行する。このため、トランスポンダ１ｃ〜１ｆは、ＷＤＭネットワーク制御装置４が設けられていない場合でも光回線を設定することができる。以下にトランスポンダ１ｃ〜１ｆの構成を説明する。
【０１９１】
図２３は、第５実施例のトランスポンダ１ｃ〜１ｆを示す構成図である。図２３において、図８と共通する構成には同一の符号を付し、その説明は省略する。本例において、通信ポート９４は制御ネットワークＮＷｄを介した他のトランスポンダ１ｃ〜１ｆと通信する。
【０１９２】
ＣＰＵ９０は、ＲＯＭ９１からプログラムを読み込むと、機能として、動作制御部９００、光回線監視部１６ｃ、スイッチ制御部１０１、情報パケット検出部１０３ｆ、通信処理部１０４ｆ、情報パケット生成部１０５、タイマ部１１１、リンク制御部１１２、装置特定部１４１、及びネゴシエーション処理部１４２が形成される。なお、本例は、第２実施例のトランスポンダ１ａ，１ｂに装置特定部１４１及びネゴシエーション処理部１４２を追加した構成を有するが、第１実施例、第３実施例、または第４実施例に装置特定部１４１及びネゴシエーション処理部１４２を追加した構成を有してもよい。
【０１９３】
動作制御部９００は、光回線監視部１６ｃ、スイッチ制御部１０１、情報パケット検出部１０３ｆ、通信処理部１０４ｆ、情報パケット生成部１０５、タイマ部１１１、リンク制御部１１２、装置特定部１４１、及びネゴシエーション処理部１４２を、ＨＷ−ＩＦ９５により受信器１０，１３、送信器１２，１５、マッピング部１１、デマッピング部１４、スイッチ部１００、及びＰＨＹ／ＭＡＣ部１０２と連携して動作させる。
【０１９４】
図２４は、第５実施例のトランスポンダ１ｃ〜１ｆの機能構成を示す図である。図２４において、図９と共通する構成には同一の符号を付し、その説明は省略する。通信処理部１０４ｆは、通信ポート９４を制御することにより、制御ネットワークＮＷｄを介し他のトランスポンダ１ｃ〜１ｆと通信する。
【０１９５】
情報パケット検出部１０３ｆは、ＰＨＹ／ＭＡＣ部１０２から入力されたイーサネット信号から情報パケットを検出する。情報パケット検出部１０３ｆは、情報パケットから隣接装置情報９３０を取得して、メモリ９３及び通信処理部１０４ｆに出力する。また、情報パケット検出部１０３ｆは、装置特定部１４１に情報パケットの検出を通知する。なお、本例において、情報パケットは、ＯＳＰＦのハローパケットであると仮定する。
【０１９６】
通信処理部１０４ｆは、対向装置の候補であるトランスポンダ１ｃ〜１ｆとの間で隣接装置情報９３０を交換する。例えばトランスポンダ１ｃの通信処理部１０４ｆは、トランスポンダ１ｅ，１ｆに隣接装置情報９３０を送信し、トランスポンダ１ｅ，１ｆから隣接装置情報９３０を受信する。通信処理部１０４ｆは、隣接装置情報９３０を装置特定部１４１に出力する。
【０１９７】
装置特定部１４１は、情報パケットの検出の通知を受けると、通信処理部１０４ｆから入力された隣接装置情報９３０とメモリ９３内の隣接装置情報９３０に基づき対向装置のトランスポンダ１ｃ〜１ｆを特定する。より具体的には、装置特定部１４１は、通信処理部１０４ｆから入力された隣接装置情報９３０のうち、メモリ９３内の隣接装置情報９３０とサブネットが共通するものを検出し、その隣接装置情報９３０の送信元のトランスポンダ１ｃ〜１ｆを対向装置として特定する。
【０１９８】
トランスポンダ１ｃの装置特定部１４１は、例えば、メモリ９３内の隣接装置情報９３０からルータ２ａの接続ポートのサブネットが「133.28.116.0/24」であることを認識する。また、トランスポンダ１ｃの装置特定部１４１は、例えば、通信処理部１０４ｆから入力された隣接装置情報９３０から、トランスポンダ１ｅのルータ２ｂの接続ポートのサブネットが「133.28.116.0/24」であることを認識する。この場合、各ルータ２ａ，２ｂの接続ポートのサブネットが共通するため、装置特定部１４１はトランスポンダ１ｃを対向装置として特定する。装置特定部１４１は、対向装置として特定したトランスポンダ１ａ，１ｂをネゴシエーション処理部１４２に通知する。
【０１９９】
ネゴシエーション処理部１４２は、装置特定部１４１により特定された対向装置のトランスポンダ１ｃ〜１ｆとの間で通信条件に関するネゴシエーションを実行する。より具体的には、ネゴシエーション処理部１４２は、例えば光回線の波長やＦＥＣ（Forward Error Correction）の方式などの通信条件に関し、通信処理部１０４ｆを介して対向装置のトランスポンダ１ｃ〜１ｆと通信する。ネゴシエーション処理部１４２は、対向装置のトランスポンダ１ｃ〜１ｆとの間で決定された通信条件に基づいて、送信器１２、受信器１３、デマッピング部１４、及びマッピング部１１を設定する。
【０２００】
このように、トランスポンダ１ｃ〜１ｆは、装置特定部１４１により対向装置のトランスポンダ１ｃ〜１ｆを特定し、そのトランスポンダ１ｃ〜１ｆとの間で通信条件に関するネゴシエーションを実行する。このため、トランスポンダ１ｃ〜１ｆは、ＷＤＭネットワーク制御装置４がなくても、光回線を設定することができる。
【０２０１】
上述した実施形態は本発明の好適な実施の例である。但し、これに限定されるものではなく、本発明の要旨を逸脱しない範囲内において種々変形実施可能である。
【０２０２】
なお、以上の説明に関して更に以下の付記を開示する。
（付記１）  第１ネットワークとの間でデータ信号を送受信する第１送受信部と、
前記データ信号と形態が異なる伝送信号を、第２ネットワークを介して対向装置との間で送受信する第２送受信部と、
前記データ信号と前記伝送信号を相互に変換する変換部と、
前記対向装置との通信の不能状態を検出する検出部と、
前記検出部により前記対向装置との通信の不能状態が検出された場合、前記第１ネットワーク内の装置との隣接関係を検出するための検出信号を前記第１ネットワークに送信する送信部とを有することを特徴とする通信装置。
（付記２）  前記送信部は、前記対向装置との通信の不能状態が検出されてから所定時間が経過した後、前記検出信号を送信することを特徴とする付記１に記載の通信装置。
（付記３）  前記送信部は、前記第１送受信部を介して前記検出信号を送信し、
前記検出部により前記対向装置との通信の不能状態が検出された場合、前記第１送受信部に前記データ信号の送信を停止させ、前記所定時間が経過した後、前記第１送受信部に前記データ信号の送信を再開させる停止制御部を有することを特徴とする付記２に記載の通信装置。
（付記４）  前記検出部により前記対向装置との通信の不能状態が検出された場合、前記第１ネットワークに前記対向装置との通信の不能状態を通知する通知部を有することを特徴とする付記１乃至３の何れかに記載の通信装置。
（付記５）  前記送信部は、前記第１送受信部を介して前記検出信号を送信し、
前記検出部により前記対向装置との通信の不能状態が検出された場合、前記第１送受信部に前記データ信号の送信を停止させ、前記停止に応じ前記第１ネットワークから通信不能状態が通知されてから所定時間が経過した後、前記第１送受信部に前記データ信号の送信を再開させる停止制御部を有することを特徴とする付記１に記載の通信装置。
（付記６）  前記第２ネットワークを監視制御する監視制御装置に、前記隣接関係に関する情報を送信する通信処理部を有することを特徴とする付記１乃至５の何れかに記載の通信装置。
（付記７）  前記隣接関係に関する情報に基づき、前記第２ネットワーク内の複数の装置から前記対向装置を特定する装置特定部と、
前記装置特定部が特定した前記対向装置との間で通信条件に関するネゴシエーションを実行するネゴシエーション処理部とを有することを特徴とする付記１乃至５の何れかに記載の通信装置。
（付記８）  第１ネットワークとの間でデータ信号を送受信し、
前記データ信号と形態が異なる伝送信号を、第２ネットワークを介して対向装置との間で送受信し、
前記データ信号と前記伝送信号を相互に変換し、
前記対向装置との通信の不能状態が検出された場合、前記第１ネットワーク内の装置との隣接関係を検出するための検出信号を前記第１ネットワークに送信することを特徴とする通信方法。
（付記９）  前記対向装置との通信の不能状態が検出されてから所定時間が経過した後、前記検出信号を送信することを特徴とする付記８に記載の通信方法。
（付記１０）  前記検出信号は前記データ信号に含まれ、
前記対向装置との通信の不能状態が検出された場合、前記データ信号の送信を停止し、前記所定時間が経過した後、前記データ信号の送信を再開することを特徴とする付記９に記載の通信方法。
（付記１１）  前記対向装置との通信の不能状態が検出された場合、前記第１ネットワークに前記対向装置との通信の不能状態を通知する通知部を有することを特徴とする付記８乃至１０の何れかに記載の通信方法。
（付記１２）  前記検出信号は前記データ信号に含まれ、
前記対向装置との通信の不能状態が検出された場合、前記データ信号の送信を停止し、前記停止に応じ前記第１ネットワークから通信不能状態が通知されてから所定時間が経過した後、前記データ信号の送信を再開することを特徴とする付記８に記載の通信方法。
（付記１３）  前記第２ネットワークを監視制御する監視制御装置に、前記隣接関係に関する情報を送信することを特徴とする付記８乃至１２の何れかに記載の通信方法。
（付記１４）  前記隣接関係に関する情報に基づき、前記第２ネットワーク内の複数の装置から前記対向装置を特定し、
前記特定した前記対向装置との間で通信条件に関するネゴシエーションを実行することを特徴とする付記８乃至１３の何れかに記載の通信方法。
（付記１５）  第１ネットワークとの間でデータ信号を送受信する第１送受信回路と、
前記データ信号と形態が異なる伝送信号を、第２ネットワークを介して対向装置との間で送受信する第２送受信回路と、
前記データ信号と前記伝送信号を相互に変換する変換回路と、
前記対向装置との通信の不能状態を検出する検出回路と、
前記検出回路により前記対向装置との通信の不能状態が検出された場合、前記第１ネットワーク内の装置との隣接関係を検出するための検出信号を前記第１ネットワークに送信する送信回路とを有することを特徴とする通信装置。
（付記１６）  前記送信回路は、前記対向装置との通信の不能状態が検出されてから所定時間が経過した後、前記検出信号を送信することを特徴とする付記１５に記載の通信装置。
（付記１７）  前記送信回路は、前記第１送受信回路を介して前記検出信号を送信し、
前記検出回路により前記対向装置との通信の不能状態が検出された場合、前記第１送受信回路に前記データ信号の送信を停止させ、前記所定時間が経過した後、前記第１送受信回路に前記データ信号の送信を再開させる停止制御回路を有することを特徴とする付記１６に記載の通信装置。
（付記１８）  前記検出回路により前記対向装置との通信の不能状態が検出された場合、前記第１ネットワークに前記対向装置との通信の不能状態を通知する通知回路を有することを特徴とする付記１５乃至１７の何れかに記載の通信装置。
（付記１９）  前記送信回路は、前記第１送受信回路を介して前記検出信号を送信し、
前記検出回路により前記対向装置との通信の不能状態が検出された場合、前記第１送受信回路に前記データ信号の送信を停止させ、前記停止に応じ前記第１ネットワークから通信不能状態が通知されてから所定時間が経過した後、前記第１送受信回路に前記データ信号の送信を再開させる停止制御回路を有することを特徴とする付記１５に記載の通信装置。
（付記２０）  前記第２ネットワークを監視制御する監視制御装置に、前記隣接関係に関する情報を送信する通信処理回路を有することを特徴とする付記１５乃至１９の何れかに記載の通信装置。
【符号の説明】
【０２０３】
１ａ〜１ｆ      トランスポンダ
２ａ，２ｂ      ルータ
３ａ，３ｂ      ＲＯＡＤＭ
７ａ，７ｂ      波長多重分離装置
１０，１３      受信器
１２，１５      送信器
１１       マッピング部
１４       デマッピング部
１７       リンク制御部
１６，１６ｃ〜１６ｅ     光回線監視部
１００，１００ｄ     スイッチ部
１０３      情報パケット検出部
１０４，１０４ｆ     通信処理部
１０５      情報パケット生成部
１２１      状態通知部
１４１      装置特定部
１４２      ネゴシエーション処理部
ＮＷａ，ＮＷｂ     クライアントネットワーク
ＮＷｃ，ＮＷｃ’     ＷＤＭネットワーク
【図１】
2018191153.tif 000003
【図２】
2018191153.tif 000004
【図３】
2018191153.tif 000005
【図４】
2018191153.tif 000006
【図５】
2018191153.tif 000007
【図６】
2018191153.tif 000008
【図７】
2018191153.tif 000009
【図８】
2018191153.tif 000010
【図９】
2018191153.tif 000011
【図１０】
2018191153.tif 000012
【図１１】
2018191153.tif 000013
【図１２】
2018191153.tif 000014
【図１３】
2018191153.tif 000015
【図１４】
2018191153.tif 000016
【図１５】
2018191153.tif 000017
【図１６】
2018191153.tif 000018
【図１７】
2018191153.tif 000019
【図１８】
2018191153.tif 000020
【図１９】
2018191153.tif 000021
【図２０】
2018191153.tif 000022
【図２１】
2018191153.tif 000023
【図２２】
2018191153.tif 000024
【図２３】
2018191153.tif 000025
【図２４】
2018191153.tif 000026